Podtech/llm-jp-corpus-v4-ja_patent huggingface dataset:
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数の始動口と、該複数の始動口のうち第１始動口に遊技球が入球したことに基づいて遊技者に所定の利益を付与する利益付与状態に制御するか否かを判定する第１利益付与判定手段と、該第１利益付与判定手段による判定がなされたことに基づいて複数種類の第１特別図柄情報の変動表示を開始して所定期間経過後に所定の表示結果を導出表示可能な第１特別表示手段と、前記複数の始動口のうち第２始動口に遊技球が入球したことに基づいて遊技者に所定の利益を付与する利益付与状態に制御するか否かを判定する第２利益付与判定手段と、該第２利益付与判定手段による判定がなされたことに基づいて複数種類の第２特別図柄情報の変動表示を開始して所定期間経過後に所定の表示結果を導出表示可能な第２特別表示手段と、を備え、前記第１利益付与判定手段により前記利益付与状態に制御すると判定されたことに基づいて前記第１特別表示手段に第１特別図柄情報の特定の表示結果を導出表示し、前記第２利益付与判定手段により前記利益付与状態に制御すると判定されたことに基づいて前記第２特別表示手段に第２特別図柄情報の特定の表示結果を導出表示する遊技機であって、
前記遊技領域に設けられ、前記第２始動口への遊技球の入球を容易にする開放状態と遊技球の入球を困難にする閉塞状態とに変化可能な開閉装置と、
前記遊技領域に設けられた通過ゲートと、
該通過ゲートを遊技球が通過したことに基づいて前記開閉装置を前記開放状態に制御するか否かを判定する開閉判定手段と、
該開閉判定手段によって前記開閉装置を前記開放状態に制御すると判定されたことに基づいて前記開閉装置を前記開放状態に制御し、所定期間が経過したときに前記開閉装置を前記閉塞状態に制御する開閉制御手段と、
前記第１利益付与判定手段による判定がなされたことに基づいて前記第１特別表示手段を制御して前記第１特別図柄情報の変動表示を実行する第１特別表示制御手段と、
前記第２利益付与判定手段による判定がなされたことに基づいて前記第２特別表示手段を制御して前記第２特別図柄情報の変動表示を実行する第２特別表示制御手段と、
前記第１特別表示手段とは別に、前記第１利益付与判定手段の判定結果が遊技者に示唆されるように複数種類の第１演出図柄情報の変動表示を実行して所定の表示結果を導出表示可能な第１演出表示手段と、
前記第１利益付与判定手段による判定がなされたことに基づいて前記第１演出表示手段を制御して前記複数種類の第１演出図柄情報の変動表示を実行し、前記第１利益付与判定手段によって前記利益付与状態に制御すると判定されたことに基づいて前記第１演出表示手段に前記第１演出図柄情報の特定の表示結果を導出表示する第１演出表示制御手段と、
前記第２特別表示手段とは別に、前記第２利益付与判定手段の判定結果が遊技者に示唆されるように複数種類の第２演出図柄情報の変動表示を実行して所定の表示結果を導出表示可能な第２演出表示手段と、
前記第２利益付与判定手段による判定がなされたことに基づいて前記第２演出表示手段を制御して前記複数種類の第２演出図柄情報の変動表示を実行し、前記第２利益付与判定手段によって前記利益付与状態に制御すると判定されたことに基づいて前記第２演出表示手段に前記第２演出図柄情報の特定の表示結果を導出表示する第２演出表示制御手段と、
前記第１演出表示制御手段によって前記第１演出図柄情報の変動表示を開始するとき、前記利益付与状態に制御される確率が高いことを示唆する特別演出を実行するか否かを判定し、前記第１利益付与判定手段によって前記利益付与状態に制御すると判定されたときには前記利益付与状態に制御しないと判定されたときよりも高い割合で前記特別演出を実行すると判定する第１特別演出判定手段と、を備え、
前記第２利益付与判定手段による判定がなされたことに基づいて前記第２特別表示制御手段によって前記第２特別表示手段を制御して前記第２特別図柄情報の変動表示を開始するとともに前記第２演出表示制御手段によって前記第２演出表示手段を制御して前記第２演出図柄情報の変動表示を開始し、前記第２特別表示制御手段によって前記第２特別表示手段に前記第２利益付与判定手段の判定結果に応じた前記第２特別図柄情報の表示結果を導出表示するときに前記第２演出表示手段によって前記第２演出表示手段に前記第２利益付与判定手段の判定結果に応じた前記第２演出図柄情報の表示結果を導出表示し、
前記第１利益付与判定手段による判定がなされたことに基づいて前記第１特別表示制御手段によって前記第１特別表示手段を制御して前記第１特別図柄情報の変動表示を開始するとともに前記第１演出表示制御手段によって前記第１演出表示手段を制御して前記第１演出図柄情報の変動表示を開始し、前記第１特別演出判定手段によって前記特別演出を実行しないと判定されていれば前記第１特別表示制御手段によって前記第１特別表示手段に前記第１利益付与判定手段の判定結果に応じた前記第１特別図柄情報の表示結果を導出表示するときに前記第１演出表示制御手段によって前記第１演出表示手段に前記第１利益付与判定手段の判定結果に応じた前記第１演出図柄情報の表示結果を導出表示する一方、前記第１特別演出判定手段によって前記特別演出を実行すると判定されていれば前記第１特別表示制御手段によって前記第１特別表示手段に前記第１利益付与判定手段の判定結果に応じた前記第１特別図柄情報の表示結果を導出表示する以前に前記第１演出表示制御手段によって前記第１演出表示手段に前記第１演出図柄情報の特定の表示結果とは異なる前記第１演出図柄情報の表示結果を導出表示し、前記第１演出表示手段に前記第１演出図柄情報の特定の表示結果とは異なる前記第１演出図柄情報の表示結果が導出表示されたことに基づいて前記第２演出表示制御手段によって前記第２演出表示手段を制御して前記第２演出図柄情報の変動表示を開始し、前記第１特別表示制御手段によって前記第１特別表示手段に前記第１利益付与判定手段の判定結果に応じた前記第１特別図柄情報の表示結果を導出表示するときに前記第２演出表示制御手段によって前記第２演出表示手段に前記第１利益付与判定手段の判定結果に応じた第２演出図柄情報の表示結果を導出表示することを特徴とする遊技機。
【請求項２】
複数種類の画像情報を表示可能な表示領域に前記第１演出表示手段と前記第２演出表示手段とを隣接して有する表示装置を備えることを特徴とする請求項１記載の遊技機。
【請求項３】
前記第１演出表示手段を有する表示装置と前記第２演出表示手段を有する表示装置とを個々に備えることを特徴とする請求項１記載の遊技機。
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数の始動口と、該複数の始動口のうち第１始動口に遊技球が入球したことに基づいて遊技者に所定の利益を付与する利益付与状態に制御するか否かを判定する第１利益付与判定手段と、前記複数の始動口のうち第２始動口に遊技球が入球したことに基づいて遊技者に所定の利益を付与する利益付与状態に制御するか否かを判定する第２利益付与判定手段と、前記第１利益付与判定手段による判定がなされたことに基づいて複数種類の画像情報を表示可能な表示領域で複数種類の第１図柄情報の変動表示を開始して所定期間経過後に所定の表示結果を導出表示するとともに前記第２利益付与判定手段による判定がなされたことに基づいて複数種類の画像情報を表示可能な表示領域で複数種類の第２図柄情報の変動表示を開始して所定期間経過後に所定の表示結果を導出表示する表示手段と、を備え、前記第１利益付与判定手段により前記利益付与状態に制御すると判定されたことに基づいて前記表示領域に特定の表示結果を導出表示し、前記第２利益付与判定手段により前記利益付与状態に制御すると判定されたことに基づいて前記表示領域に特定の表示結果を導出表示する遊技機であって、
前記第１利益付与判定手段による判定がなされたことに基づいて前記表示手段を制御して前記第１図柄情報の変動表示を実行する第１表示制御手段と、
該第１表示制御手段によって前記第１図柄情報の変動表示を開始するときに前記利益付与状態に制御される可能性が高いことを示唆する特別演出を実行するか否かを判定する第１特別演出判定手段と、
前記第２利益付与判定手段による判定がなされたことに基づいて前記表示手段を制御して前記第２図柄情報の変動表示を実行する第２表示制御手段と、
該第２表示制御手段によって前記第２図柄情報の変動表示を開始するときに前記利益付与状態に制御される可能性が高いことを示唆する特別演出を実行するか否かを判定する第２特別演出判定手段と、
前記第１表示制御手段によって前記第１図柄情報の変動表示を開始するときに前記第１利益付与判定手段によって前記利益付与状態に制御すると判定され、且つ前記第２利益付与判定手段によって前記利益付与状態に制御すると判定されていることを条件に前記第１表示制御手段による前記第１図柄情報の変動表示の開始を遅延させる第１変動遅延手段と、
前記第２表示制御手段によって前記第２図柄情報の変動表示を開始するときに前記第２利益付与判定手段によって前記利益付与状態に制御すると判定され、且つ前記第１利益付与判定手段によって前記利益付与状態に制御すると判定されていることを条件に前記第２表示制御手段による前記第２図柄情報の変動表示の開始を遅延させる第２変動遅延手段と、を備え、
前記第１特別演出判定手段は、前記第１利益付与判定手段によって前記利益付与状態に制御すると判定されたときに前記利益付与状態に制御しないと判定されたときよりも高い割合で前記特別演出を実行すると判定し、
前記第２特別演出判定手段は、前記第２利益付与判定手段によって前記利益付与状態に制御すると判定されたときに前記利益付与状態に制御しないと判定されたときよりも高い割合で前記特別演出を実行すると判定し、
前記第１表示制御手段は、
前記第１特別演出判定手段によって前記特別演出を実行すると判定されたときに前記第１図柄情報の制御状態を把握することが容易な態様で前記第１図柄情報を表示制御し、前記第２特別演出判定手段によって前記特別演出を実行すると判定されたときに前記第１図柄情報の制御状態を把握することが困難な態様で前記第１図柄情報を表示制御し、
前記第１変動遅延手段によって前記第１図柄情報の変動表示の開始を遅延させていないときに前記第１図柄情報の制御状態を把握することが容易な態様で前記第１図柄情報を表示制御し、前記第１変動遅延手段によって前記第１図柄情報の変動表示の開始を遅延させたときに前記第１図柄情報の制御状態を把握することが困難な態様で前記第１図柄情報を表示制御し、
前記第２表示制御手段は、
前記第１特別演出判定手段によって前記特別演出を実行すると判定されたときに前記第２図柄情報の制御状態を把握することが困難な態様で前記第２図柄情報を表示制御し、前記第２特別演出判定手段によって前記特別演出を実行すると判定されたときに前記第２図柄情報の制御状態を把握することが容易な態様で前記第２図柄情報を表示制御し、
前記第２変動遅延手段によって前記第２図柄情報の変動表示の開始を遅延させていないときに前記第２図柄情報の制御状態を把握することが容易な態様で前記第２図柄情報を表示制御し、前記第２変動遅延手段によって前記第２図柄情報の変動表示の開始を遅延させたときに前記第２図柄情報の制御状態を把握することが困難な態様で前記第２図柄情報を表示制御することを特徴とする遊技機。
【請求項２】
前記第１表示制御手段は、前記第１図柄情報の制御状態を把握することが容易な態様で前記第１図柄情報を表示制御するときには前記第１図柄情報の制御状態を把握することが困難な態様で前記第１図柄情報を表示制御するときよりも前記表示領域の第１図柄情報を表示制御する領域を拡大して表示制御し、
前記第２表示制御手段は、前記第２図柄情報の制御状態を把握することが容易な態様で前記第２図柄情報を表示制御するときには前記第２図柄情報の制御状態を把握することが困難な態様で前記第２図柄情報を表示制御するときよりも前記表示領域の前記第２図柄情報を表示制御する領域を拡大して表示制御することを特徴とする請求項１記載の遊技機。
【請求項３】
前記第１表示制御手段は、前記第１図柄情報の制御状態を把握することが困難な態様で前記第１図柄情報を表示制御するときに該第１図柄情報の表示制御を中断し、
前記第２表示制御手段は、前記第２図柄情報の制御状態を把握することが困難な態様で前記第２図柄情報を表示制御するときに該第２図柄情報の表示制御を中断することを特徴とする請求項１記載の遊技機。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
基体と、該基体の内部に配設された電源部および該電源部から出力された電圧が印加されて発光する発光装置と、該発光装置からの光を先端部で放光させる放光体と、前記発光装置からの光を導く穴部の形成された放光体保持部を備えた電子香具において、
前記放光体の先端部表面を多数のギザギザ状の凹凸状の反射面として形成し、
前記電源部から出力される電圧が任意に強弱して印加されるように制御する制御部を有して、強弱した電圧印加によって発光した光を前記ギザギザ状の凹凸状の反射面で反射させたゆらぎ状の放光をさせること
を特徴とする電子香具。
【請求項２】
請求項１において、前記電子香具は電子線香であり、前記放光体は線光体であり、前記放光体保持部は前記線光体を保持する線香体立てであり、前記線光体の先端部表面を多数のギザギザ状の凹凸状の反対面として形成したことを特徴とする電子線香。
【請求項３】
請求項２において、前記線香体立てには、複数の穴部が設けられてそれぞれ線香体が保持され、複数の線香体はそれぞれアトランダムにあるいはゆらぎ周期が異なるように前記制御部によって制御されることを特徴とする電子線香。
【請求項４】
請求項２において、前記線香体立てには、複数の穴部が設けられてそれぞれ線香体が保持され、ゆらぎ周期が複数の線香体で同一の周期になるように前記制御部によって制御されたことを特徴とする電子線香。
【請求項５】
請求項１において、前記電子香具は電子香炉であり、前記放光体は山形状の香ブロックであり、該香ブロックの先端部は小山形状の模擬燃焼部として構成され、前記放光体保持部は香ブロック保持部であり、前記模擬燃焼部表面を多数のギザギザ状の凹凸状の反射面として形成したことを特徴とする電子香炉。
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数の始動口と、該複数の始動口のうち第１始動口に遊技球が入球したことに基づいて遊技者に所定の利益を付与する利益付与状態に制御するか否かを判定する第１利益付与判定手段と、前記複数の始動口のうち第２始動口に遊技球が入球したことに基づいて遊技者に所定の利益を付与する利益付与状態に制御するか否かを判定する第２利益付与判定手段と、前記第１利益付与判定手段による判定がなされたことに基づいて複数種類の画像情報を表示可能な表示領域で複数種類の第１図柄情報の変動表示を開始して所定期間経過後に所定の表示結果を導出表示するとともに前記第２利益付与判定手段による判定がなされたことに基づいて複数種類の画像情報を表示可能な表示領域で複数種類の第２図柄情報の変動表示を開始して所定期間経過後に所定の表示結果を導出表示する表示手段と、を備え、前記第１利益付与判定手段により前記利益付与状態に制御すると判定されたことに基づいて前記表示領域に特定の表示結果を導出表示し、前記第２利益付与判定手段により前記利益付与状態に制御すると判定されたことに基づいて前記表示領域に特定の表示結果を導出表示する遊技機であって、
前記遊技領域に設けられ、前記第２始動口への遊技球の入球を容易にする開放状態と遊技球の入球を困難にする閉塞状態とに変化可能な開閉装置と、
前記遊技領域に設けられた通過ゲートと、
該通過ゲートを遊技球が通過したことに基づいて前記開閉装置を前記開放状態に制御するか否かを判定する開閉判定手段と、
該開閉判定手段によって前記開閉装置を前記開放状態に制御すると判定されたことに基づいて前記開閉装置を前記開放状態に制御し、所定期間が経過したときに前記開閉装置を前記閉塞状態に制御する開閉制御手段と、
前記第１利益付与判定手段による判定がなされたことに基づいて前記表示手段を制御して前記第１図柄情報の変動表示を実行する第１表示制御手段と、
前記第２利益付与判定手段による判定がなされたことに基づいて前記表示手段を制御して前記第２図柄情報の変動表示を実行する第２表示制御手段と、
該第２表示制御手段によって前記第２図柄情報の変動表示を開始するときに前記利益付与状態に制御される可能性が高いことを示唆する特別演出を実行するか否かを判定する特別演出判定手段と、を備え、
該特別演出判定手段は、前記第２利益付与判定手段によって前記利益付与状態に制御すると判定されたときに前記利益付与状態に制御しないと判定されたときよりも高い割合で前記特別演出を実行すると判定し、
前記第２表示制御手段は、前記特別演出判定手段によって前記特別演出を実行しないと判定されたときに前記第２図柄情報の変動表示を把握することが困難な態様で前記第２図柄情報の変動表示を実行し、前記特別演出判定手段によって前記特別演出を実行すると判定されたときに前記第２図柄情報の変動表示を把握することが容易な態様で前記第２図柄情報の変動表示を実行することを特徴とする遊技機。
【請求項２】
前記第１表示制御手段は、前記特別演出判定手段の判定結果に拘らず前記第１図柄情報の変動表示を把握することが容易な態様で前記第１図柄情報の変動表示を実行することを特徴とする請求項１記載の遊技機。
【請求項３】
前記特別演出判定手段によって前記特別演出を実行しないと判定したときには前記特別演出を実行すると判定したときよりも前記第１表示制御手段によって前記表示領域の前記第１図柄情報を表示制御する領域を拡大して表示制御する一方、前記特別演出判定手段によって前記特別演出を実行しないと判定されたときには前記特別演出を実行すると判定したときよりも前記第２表示制御手段によって前記表示領域の前記第２図柄情報を表示制御する領域を縮小して表示制御することを特徴とする請求項１又は請求項２に記載の遊技機。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
外枠に開閉自在に蝶着される前面枠の閉鎖状態を検出する閉鎖検出手段と、
該閉鎖検出手段による検出が途絶えることにより前記前面枠が開放状態であることを報知する枠開放報知手段と、
該枠開放報知手段による報知中に、閉鎖検出手段による検出がなされることにより前記前面枠が開放状態から閉鎖状態に変位したことを報知する枠閉鎖報知手段と、
遊技機の裏面側に配置され、遊技者が操作不能な操作手段と、
電源遮断時の遊技情報を記憶する情報記憶手段と、
電源投入後の所定期間中に前記操作手段からの操作信号が入力されることを条件として、前記情報記憶手段に記憶された遊技情報を消去し、新たな遊技を開始する新遊技処理手段と、
を備える遊技機において、
前記新遊技処理手段により新たな遊技を開始したときに記憶装置に記憶された遊技情報が消去されたことを報知する消去時報知手段と、
前記新遊技処理手段により新たな遊技を開始したときからの割込回数を計数する計数手段と、
前記記憶装置に記憶された遊技情報が消去され、且つ、前記前面枠が開放状態から閉鎖状態に変位することによって、前記枠閉鎖報知手段とは異なる報知態様で遊技情報が消去されたことを報知する特殊報知手段と、
を備え、
前記前面枠が開放状態から閉鎖状態に変位した際の前記計数手段による計数値に応じて、枠閉鎖報知手段または特殊報知手段のいずれかを実行することを特徴とする遊技機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正書】
【提出日】平成22年3月10日(2010.3.10)
【手続補正１】
【補正対象書類名】明細書
【補正対象項目名】０００５
【補正方法】変更
【補正の内容】
【０００５】
さらに、市販されている蛍光薬剤から生体内の物質と結合して発光する蛍光プローブを作成することが可能であり、病変と相関性のある物質と結合する蛍光プローブを生体に投与して、その蛍光を観察することにより、病変に関する情報を得ることができる。この場合に、薬剤蛍光と自家蛍光あるいは複数の薬剤蛍光を観察することで、より精度よく生体の状態を観察することができる。
【手続補正２】
【補正対象書類名】明細書
【補正対象項目名】００２３
【補正方法】変更
【補正の内容】
【００２３】
このように構成された本実施形態に係る蛍光観察装置１の作用について以下に説明する。
本実施形態に係る蛍光観察装置１を用いて生体組織を観察するには、まず、光源ユニット２内の白色光源９を作動させ、挿入部３を体腔内に挿入して、反射光画像を確認しながら、挿入部３の先端３ａを体腔内の観察対象部位に対向させる。この状態で、光源ユニット２から第１の励起光および第２の励起光を順次を射出させ、ライトガイド１２を介して伝播された第１，第２の励起光を体腔内の観察対象部位に照射する。
【手続補正３】
【補正対象書類名】明細書
【補正対象項目名】００２４
【補正方法】変更
【補正の内容】
【００２４】
生体組織内には、生来含有されている自家蛍光物質である還元型ニコチンアミドアデニンジヌクレオチド（ＮＡＤＨ）や、フラビンアデニンジヌクレオチド（ＦＡＤ）、コラーゲンなどが存在し、これらはおよそ３００ｎｍ〜５００ｎｍの励起光によって蛍光を発する。また、還元型ニコチンアミドアデニンジヌクレオチド（ＮＡＤＨ）およびコラーゲンは概ね３４０ｎｍ、フラビンアデニンジヌクレオチド（ＦＡＤ）は概ね４５０ｎｍの励起光により最大の蛍光量となる。すなわち、還元型ニコチンアミドアデニンジヌクレオチド（ＮＡＤＨ）およびコラーゲンの最大励起波長は概ね３４０ｎｍ、フラビンアデニンジヌクレオチド（ＦＡＤ）の最大励起波長は４５０ｎｍである。
【手続補正４】
【補正対象書類名】明細書
【補正対象項目名】００２５
【補正方法】変更
【補正の内容】
【００２５】
したがって、第１の励起光が照射されることにより、主として還元型ニコチンアミドアデニンジヌクレオチド（ＮＡＤＨ）、コラーゲンなどが励起され、第２の励起光が照射されることにより、主としてフラビンアデニンジヌクレオチド（ＦＡＤ）などが励起されてそれぞれ蛍光が発生する。図２に、励起光および蛍光の波長特性と、蛍光フィルタ１４の透過率特性を示す。
【手続補正５】
【補正対象書類名】明細書
【補正対象項目名】００４５
【補正方法】変更
【補正の内容】
【００４５】
図９（ａ）は第１〜第３の励起光を照射したときの正常部からの蛍光の波長特性であり、図９（ｂ）は第１〜第３の励起光を照射したときの病変部からの蛍光の波長特性である。
この図９に示されるように、第１の波長帯域４５０〜５００ｎｍにおいては、第１の励起光と第２の励起光を照射したときに蛍光の差（符号Ｄ１，ｄ１）に、病変部および正常部において大きな差異Ｄ１−ｄ１がある。また、第２の波長帯域５００〜６００ｎｍにおいては、第２の励起光と第３の励起光を照射したときに蛍光の差（符号Ｄ２，ｄ２）に、病変部および正常部において大きな差異Ｄ２−ｄ２がある。
【手続補正６】
【補正対象書類名】明細書
【補正対象項目名】００４８
【補正方法】変更
【補正の内容】
【００４８】
１，３０  蛍光観察装置
２  光源ユニット（励起光照射部）
１２  ライトガイド（励起光照射部）
１４  バンドパスフィルタ（フィルタ、蛍光フィルタ）
１５  撮像素子（光検出部）
１８  演算部
３５  可変分光素子（フィルタ）
【手続補正書】
【提出日】平成22年3月16日(2010.3.16)
【手続補正１】
【補正対象書類名】特許請求の範囲
【補正対象項目名】請求項１
【補正方法】変更
【補正の内容】
【請求項１】
インクリボンに塗布されたインクをサーマルヘッドにより記録紙に転写することで画像の印刷を行う印刷装置に装着することが可能なカートリッジであって、
供給ローラに巻き回されたインクリボンを収納する第１の収納部と、
前記第１の収納部から引き出され、記録紙にインクを転写した後のインクリボンを収納する第２の収納部と、
前記第１の収納部から引き出され、前記第２の収納部に収納されるまでのインクリボンを覆う閉位置と、該インクリボンが露出する開位置との間を移動可能な開閉部材とを備え、
前記開閉部材は、前記カートリッジを前記印刷装置に装着したときに、該印刷装置の当接部材と当接することで、前記開位置に移動することを特徴とするカートリッジ。
【手続補正２】
【補正対象書類名】明細書
【補正対象項目名】００１３
【補正方法】変更
【補正の内容】
【００１３】
上記の目的を達成するために本発明に係るカートリッジは以下のような構成を備える。即ち、
インクリボンに塗布されたインクをサーマルヘッドにより記録紙に転写することで画像の印刷を行う印刷装置に装着することが可能なカートリッジであって、
供給ローラに巻き回されたインクリボンを収納する第１の収納部と、
前記第１の収納部から引き出され、記録紙にインクを転写した後のインクリボンを収納する第２の収納部と、
前記第１の収納部から引き出され、前記第２の収納部に収納されるまでのインクリボンを覆う閉位置と、該インクリボンが露出する開位置との間を移動可能な開閉部材とを備え、
前記開閉部材は、前記カートリッジを前記印刷装置に装着したときに、該印刷装置の当接部材と当接することで、前記開位置に移動することを特徴とする。
【手続補正書】
【提出日】平成22年3月18日(2010.3.18)
【手続補正１】
【補正対象書類名】特許請求の範囲
【補正対象項目名】請求項５
【補正方法】変更
【補正の内容】
【請求項５】
前記検出手段により前記ロール紙が検出されなくなった場合に、前記印刷装置内に残る前記ロール紙の長さを算出し、該算出された長さから印刷可能な枚数を算出する算出手段と、
前記算出手段により算出された印刷可能な枚数と、予め指示された印刷枚数とに基づいて、印刷可否を判定する判定手段と
を備えることを特徴とする請求項４に記載の印刷装置。
【手続補正書】
【提出日】平成22年6月14日(2010.6.14)
【手続補正１】
【補正対象書類名】特許請求の範囲
【補正対象項目名】請求項１３
【補正方法】変更
【補正の内容】
【請求項１３】
制御部(７)は、材料が送り移行路上の原点を基準として、材料の先端が膜状光(30)に当たる位置に達したことをカメラ(４)が捉えた時点或いはその後の一定の材料送りが経過するまでの材料送込み量を「頭出し送り長さ」とし、原点から膜状光(30)が材料送り移行路に当たる位置までを「基準長さ」とし、「基準長さ」から「頭出し移動長さ」を減じて材料の全長を計測する機能を有している請求項９乃至１２の何れかに記載の材料スライス装置。
【手続補正書】
【提出日】平成22年6月16日(2010.6.16)
【手続補正１】
【補正対象書類名】特許請求の範囲
【補正対象項目名】請求項１
【補正方法】変更
【補正の内容】
【請求項１】
パネル材が接触する接触面が設けられ、前記接触面から突出し前記パネル材に形成された貫通孔を貫通するロケートピンが設けられた支持筒体と、
前記支持筒体に連結され、ピストンロッドが設けられた開閉ピストンを軸方向に往復動自在に収容するシリンダ本体と、
前記ロケートピンに形成されたスリット内に設けられるとともに前記ピストンロッドに揺動自在に連結されるクランプアームと、
前記クランプアームに形成されたカム孔を貫通して前記支持筒体に固定され、前記開閉ピストンの前進移動により前記クランプアームを前記スリット内に退避させる退避位置に移動させ、前記開閉ピストンの後退移動により前記クランプアームのクランプ部と前記接触面との間で前記パネル材をクランプするクランプ位置に前記クランプアームを迫り出させるカム部材と、
前記ピストンロッドの外側に前記ピストンロッドに対して軸方向に移動自在に嵌合される円筒部を有し、前記接触面から突出して前記パネル材を前記ロケートピンから取り出す取り出し位置と前記接触面内に入り込む後退限位置との間に軸方向に往復動自在に前記支持筒体内に装着される押出具と、
前記円筒部に連結されるとともに前記シリンダ本体内に往復動自在に収容され、前記押出具を前記取り出し位置と前記後退限位置との間で駆動する押出ピストンとを有することを特徴とする位置決めクランプ装置。
【手続補正２】
【補正対象書類名】明細書
【補正対象項目名】０００６
【補正方法】変更
【補正の内容】
【０００６】
本発明の位置決めクランプ装置は、  パネル材が接触する接触面が設けられ、前記接触面から突出し前記パネル材に形成された貫通孔を貫通するロケートピンが設けられた支持筒体と、前記支持筒体に連結され、ピストンロッドが設けられた開閉ピストンを軸方向に往復動自在に収容するシリンダ本体と、前記ロケートピンに形成されたスリット内に設けられるとともに前記ピストンロッドに揺動自在に連結されるクランプアームと、前記クランプアームに形成されたカム孔を貫通して前記支持筒体に固定され、前記開閉ピストンの前進移動により前記クランプアームを前記スリット内に退避させる退避位置に移動させ、前記開閉ピストンの後退移動により前記クランプアームのクランプ部と前記接触面との間で前記パネル材をクランプするクランプ位置に前記クランプアームを迫り出させるカム部材と、前記ピストンロッドの外側に前記ピストンロッドに対して軸方向に移動自在に嵌合される円筒部を有し、前記接触面から突出して前記パネル材を前記ロケートピンから取り出す取り出し位置と前記接触面内に入り込む後退限位置との間に軸方向に往復動自在に前記支持筒体内に装着される押出具と、前記円筒部に連結されるとともに前記シリンダ本体内に往復動自在に収容され、前記押出具を前記取り出し位置と前記後退限位置との間で駆動する押出ピストンとを有することを特徴とする。
【手続補正３】
【補正対象書類名】図面
【補正対象項目名】図５
【補正方法】変更
【補正の内容】
【図５】
2008229777.tif 000001
【手続補正書】
【提出日】平成22年6月16日(2010.6.16)
【手続補正１】
【補正対象書類名】特許請求の範囲
【補正対象項目名】請求項１
【補正方法】変更
【補正の内容】
【請求項１】
パネル材が接触する接触面を有する基台に設けられ、前記接触面から突出し前記パネル材に形成された貫通孔に貫通するロケートピンと、
前記ロケートピンに形成されたスリット内に設けられ、前記スリット内に入り込む退避位置とクランプ部が前記スリットから迫り出して前記接触面との間で前記パネル材をクランプするクランプ位置との間を移動するクランプアームと、
前記クランプアームの基端部に固定された駆動ピンに接触するカム孔が形成され、前記クランプアームを前記退避位置と前記クランプ位置との間に前記駆動ピンを介して移動する往復動カムと、
前記クランプアームに形成された揺動溝を貫通して前記基台に固定され、前記クランプアームが前記退避位置となったときに前記クランプアームを前記スリット内に入り込ませ、前記クランプアームがクランプ位置となったときにクランプ部を前記スリットから迫り出させるカム部材と、
前記接触面から突出して前記パネル材を前記ロケートピンから取り出す取り出し位置と前記接触面内に入り込む後退限位置との間で前記ロケートピンに沿って前記ロケートピンを囲むように前記基台に往復動自在に組み込まれる押出具と、
前記往復動カムを前記退避位置と前記クランプ位置との間に駆動するカム駆動手段と、
前記押出具を前記取り出し位置と前記後退限位置との間に駆動する押出具駆動手段とを有することを特徴とする位置決めクランプ装置。
【手続補正２】
【補正対象書類名】明細書
【補正対象項目名】０００６
【補正方法】変更
【補正の内容】
【０００６】
本発明のクランプ装置は、パネル材が接触する接触面を有する基台に設けられ、前記接触面から突出し前記パネル材に形成された貫通孔に貫通するロケートピンと、前記ロケートピンに形成されたスリット内に設けられ、前記スリット内に入り込む退避位置とクランプ部が前記スリットから迫り出して前記接触面との間で前記パネル材をクランプするクランプ位置との間を移動するクランプアームと、前記クランプアームの基端部に固定された駆動ピンに接触するカム孔が形成され、前記クランプアームを前記退避位置と前記クランプ位置との間に前記駆動ピンを介して移動する往復動カムと、前記クランプアームに形成された揺動溝を貫通して前記基台に固定され、前記クランプアームが前記退避位置となったときに前記クランプアームを前記スリット内に入り込ませ、前記クランプアームがクランプ位置となったときにクランプ部を前記スリットから迫り出させるカム部材と、前記接触面から突出して前記パネル材を前記ロケートピンから取り出す取り出し位置と前記接触面内に入り込む後退限位置との間で前記ロケートピンに沿って前記ロケートピンを囲むように前記基台に往復動自在に組み込まれる押出具と、前記往復動カムを前記退避位置と前記クランプ位置との間に駆動するカム駆動手段と、前記押出具を前記取り出し位置と前記後退限位置との間に駆動する押出具駆動手段とを有することを特徴とする。
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
有色の液体を媒体に吐出する複数の第１ノズルが所定方向に並んだ第１ノズル列と、
有色の液体を前記媒体に吐出する複数の第２ノズルが前記所定方向に並んだ第２ノズル列と、
無色の液体を前記媒体に吐出する複数の第３ノズルが前記所定方向に並んだ第３ノズル列と、
を有する液体吐出装置であって、
前記第３ノズル列は前記第１ノズル列と前記第２ノズル列の間に配置されている、
ことを特徴とする液体吐出装置。
【請求項２】
請求項１に記載の液体吐出装置であって、
前記第１ノズルが吐出する液体の色と前記第２ノズルが吐出する液体の色が異なる、
液体吐出装置。
【請求項３】
請求項１または請求項２に記載の液体吐出装置であって、
前記媒体を前記所定方向と交差する搬送方向に搬送する搬送機構を備える、
液体吐出装置。
【請求項４】
請求項１から請求項３のいずれかに記載の液体吐出装置であって、
前記第１ノズル列と前記第３ノズル列の間に、有色の液体を吐出する複数のノズルが前記所定方向に並んだノズル列が設けられ、前記第２ノズル列と前記第３ノズル列の間にも、有色の液体を吐出する複数のノズルが前記所定方向に並んだノズル列が設けられる、
液体吐出装置。
【請求項５】
請求項４に記載の液体吐出装置であって、
前記有色の液体がブラックインクとイエローインクとマゼンタインクとシアンインクである場合、
前記第１ノズルからブラックインクが吐出され、
前記第２ノズルからイエローインクが吐出される、
液体吐出装置。
【請求項６】
請求項４または請求項５に記載の液体吐出装置であって、
前記媒体の両面に液体が吐出される場合、
前記媒体の一方の面に前記液体が吐出される際の搬送方向は、前記媒体の他方の面に前
記液体が吐出される際の搬送方向と逆の方向である、
液体吐出装置。
【請求項７】
請求項１から請求項６のいずれかに記載の液体吐出装置であって、
前記第３ノズルは、前記第１ノズル及び前記第２ノズルに対して、前記所定方向にずれている、
液体吐出装置。
【請求項８】
請求項１から請求項７のいずれかに記載の液体吐出装置であって、
前記有色の液体により形成される画像の周辺に前記第３ノズルから前記無色の液体が吐出される、
液体吐出装置。
【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
有色の液体を媒体に吐出する有色ノズルが所定方向に並んだ有色ノズル列である第１有色ノズル列及び第２有色ノズル列及び第３有色ノズル列と、
無色の液体を前記媒体に吐出する無色ノズルが前記所定方向に並んだ無色ノズル列である第１無色ノズル列及び第２無色ノズル列と、
を有する液体吐出装置であって、
前記第１無色ノズル列が前記第１有色ノズル列と前記第２有色ノズル列の間に配置され、前記第２無色ノズル列が前記第２有色ノズル列と前記第３有色ノズル列の間に配置される、
ことを特徴とする液体吐出装置。
【請求項２】
請求項１に記載の液体吐出装置であって、
前記有色ノズル列と前記無色ノズル列の数が等しい
液体吐出装置。
【請求項３】
請求項２に記載の液体吐出装置であって、
前記有色ノズル列と前記無色ノズル列とが交互に配置される、
液体吐出装置。
【請求項４】
請求項１から請求項３のいずれかに記載の液体吐出装置であって、
前記媒体を前記所定方向と交差する搬送方向に搬送する搬送機構を備える、
液体吐出装置
【請求項５】
請求項４に記載の液体吐出装置であって、
前記搬送方向における最上流側の前記有色ノズル列が吐出する液体の色と、最下流側の前記有色ノズル列が吐出する液体の色とが異なる、
液体吐出装置。
【請求項６】
請求項１から請求項５のいずれかに記載の液体吐出装置であって、
前記無色ノズル列は、前記有色ノズル列に対して、前記所定方向にずれている、
液体吐出装置。
【請求項７】
請求項１から請求項６のいずれかに記載の液体吐出装置であって、
前記有色の液体により形成される画像の周辺に前記無色ノズル列から前記無色の液体が吐出される、
液体吐出装置。
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
複数の記録ヘッドを第１の方向に配設してなる記録ヘッド群と、
前記記録ヘッド群にインクを供給するインク供給経路と、
前記記録ヘッドのインク吐出ノズルが形成されるノズル面と接触する前記第１の方向に配設した複数の密閉部材と、
前記複数の密閉部材を保持する保持部材と、
前記記録ヘッド群と対向して記録媒体を搬送する記録媒体搬送機構と、を有し、
前記保持部材は前記密閉部材が前記ノズル面を密閉する密閉位置と、搬送経路よりも下方に懸架され収納される退避位置との間を移動可能に構成され、前記保持部材は、前記複数の密閉部材の間隙にて折り畳み可能であり、前記密閉位置では前記保持部材が展延状態であり、前記退避位置では前記保持部材が折り畳み状態であることを特徴とするメンテナンス機構を搭載する画像形成装置。
【請求項２】
前記退避位置では、前記密閉部材が前記記録媒体の搬送方向に対して傾斜していることを特徴とする請求項１に記載のメンテナンス機構を搭載する画像形成装置。
【請求項３】
前記退避位置では前記密閉部材は、前記記録媒体の搬送方向に直交する方向に対しても傾斜していることを特徴とする請求項２に記載のメンテナンス機構を搭載する画像形成装置。
【請求項４】
前記プリントヘッドの前記インク吐出ノズルからインクを出して吐出回復を行わせる吐出回復部を備え、
前記吐出回復部が、前記複数の密閉部材に設けられ、前記記録ヘッドとの接触時に密閉空間内部を負圧吸引する吸引部と、密閉部材に設けられた吸引穴より構成され、
前記吐出回復部による吐出回復動作時においては、前記保持部材は前記密閉位置にあり、
前記吐出回復部による吐出回復動作終了後に、前記保持部材は前記退避位置へ移動することを特徴とする請求項１に記載のメンテナンス機構を搭載する画像形成装置。
【請求項５】
前記プリントヘッドの前記インク吐出ノズルからインクを出して吐出回復を行わせる吐出回復部を備え、
前記吐出回復部が、前記記録ヘッド内部のインクを加圧によって前記記録ヘッド外部へ押し出す加圧部であって、
前記吐出回復部の加圧動作による吐出回復動作時においては、前記保持部材は前記記録ヘッド群の下部にあり、
前記吐出回復部による前記加圧動作終了後に、前記退避位置へ移動することを特徴とすることを特徴とする請求項１に記載のメンテナンス機構を搭載する画像形成装置。
【請求項６】
前記記録ヘッドから前記インク供給経路にインクを戻すインク循環経路と、前記インク循環経路内にインクを循環させるインク循環部と、を有し、
前記インク循環部は、前記密閉部材が前記ノズル面に対して密閉する際に、前記記録ヘッド内部のインクを循環させることを特徴とする請求項１記載のメンテナンス機構を搭載する画像形成装置。
【請求項７】
前記記録ヘッドから前記インク供給経路にインクを戻すインク循環経路と、前記インク循環経路内にインクを循環させるインク循環部と、を有し、
前記インク循環部は、前記密閉部材が前記ノズル面から離間する際に、前記記録ヘッド内部のインクを循環させることを特徴とする請求項１記載のメンテナンス機構を搭載する画像形成装置。
【請求項８】
搬送される記録媒体にノズルからインクを吐出し、画像を形成する複数の記録ヘッドが配列した記録ヘッド群と、
予め定めた搬送経路で前記記録媒体を搬送する搬送機構と、
それぞれの前記記録ヘッドのノズルを密閉する密閉部材を固定し、複数に分割され折り畳み可能な保持部材を、展延状態でノズルを密閉する密閉位置と、前記密閉部材どうしが間隙で斜に対面する折り畳み状態で前記搬送経路の下方に懸架されて収納される退避位置のいずれかに移動するメンテナンス機構と、
を具備することを特徴とするメンテナンス機構を搭載する画像形成装置。
【請求項９】
前記保持部材の退避位置は、前記搬送経路よりも下方で、かつ前記記録ヘッド群よりも記録媒体搬送方向下流側に設けられることを特徴とする請求項１記載のメンテナンス機構を搭載する画像形成装置。
【請求項１０】
前記記録媒体搬送機構は昇降可能に構成され、
前記記録媒体搬送機構が上昇し前記保持部材の底面を押し上げることで、前記ノズル面を前記密閉部材で密閉することを特徴とする請求項１記載のメンテナンス機構を搭載する画像形成装置。
【手続補正２】
【補正対象書類名】明細書
【補正対象項目名】０００９
【補正方法】変更
【補正の内容】
【０００９】
本発明は、上記目的を達成するために、複数の記録ヘッドを第１の方向に配設してなる記録ヘッド群と、前記記録ヘッド群にインクを供給するインク供給経路と、前記記録ヘッドのインク吐出ノズルが形成されるノズル面と接触する前記第１の方向に配設した複数の密閉部材と、前記複数の密閉部材を保持する保持部材と、前記記録ヘッド群と対向して記録媒体を搬送する記録媒体搬送機構と、を有し、前記保持部材は前記密閉部材が前記ノズル面を密閉する密閉位置と、搬送経路よりも下方に懸架され収納される退避位置との間を移動可能に構成され、前記保持部材は、前記複数の密閉部材の間隙にて折り畳み可能であり、前記密閉位置では前記保持部材が展延状態であり、前記退避位置では前記保持部材が折り畳み状態であることを特徴とするメンテナンス機構を搭載する画像形成装置を提供する。
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線源と、このＸ線源と対向配置され前記被検体の透過Ｘ線を検出する二次元配列された複数のＸ線検出素子からなるＸ線平面検出器と、前記被検体へのＸ線照射領域を設定するＸ線照射領域設定手段と、該Ｘ線照射領域設定手段で設定したＸ線照射領域にＸ線を絞るＸ線絞り手段と、前記被検体で発生した散乱Ｘ線が前記Ｘ線平面検出器への入射を防止する前記Ｘ線平面検出器の前部に設けたグリッドと、前記Ｘ線平面検出器の各画素のオフセット、ゲイン及び欠陥画素の画素値を補正するＸ線平面検出器補正手段と、前記Ｘ線平面検出器の画素のピクセルピッチと前記グリッドの密度とが干渉して発生するモアレを低減するモアレ低減手段とを備えたＸ線画像診断装置において、前記モアレ低減手段は、前記Ｘ線平面検出器補正手段で補正された欠陥画素に所定の重み付けをするフィルタ処理手段を備えたことを特徴とするＸ線画像診断装置。
【請求項２】
前記Ｘ線平面検出器補正手段で補正する画素の補正領域は、前記Ｘ線絞り手段で形成したＸ線照射野領域であることを特徴とする請求項１に記載のＸ線画像診断装置。
【請求項３】
前記Ｘ線平面検出器補正手段は、前記Ｘ線照射野領域におけるＸ方向及びＹ方向の２次元における前記補正領域のＸ方向に走査して欠陥画素を検出する欠陥画素検出手段を備えたことを特徴とする請求項２に記載のＸ線画像診断装置。
【請求項４】
さらに、前記Ｘ線平面検出器で検出した全画像の画素を間引いて縮小する画像を形成する縮小画像形成手段を備え、この縮小画像形成手段は、前記Ｘ線照射野領域の全画像データから前記縮小する画像領域を形成するための間引き数を前記Ｘ線照射野の長軸に対応して決定する間引き数決定手段と、前記間引き数に基づいて間引いた画素をシフトして前記Ｘ線平面検出器の補正領域を設定する補正領域設定手段と、この補正領域設定手段で設定した補正領域の画素を前記Ｘ線平面検出器補正手段で補正する手段と、この補正手段で補正した画素値を用いて前記フィルタ処理手段でモアレを低減するモアレ低減手段とを備えたことを特徴とする請求項３に記載のＸ線画像診断装置。
【請求項５】
前記欠陥画素の補正は、前記間引き数の1倍のＸ方向における１ライン離れたラインの画素について補正し、前記モアレの低減は、前記間引き数の２ライン離れたラインの画素について重み付けを行うことを特徴とする請求項４に記載のＸ線画像診断装置。
【請求項６】
前記縮小画像は、前記Ｘ線平面検出器で検出した全画像を縮小してプレビューする画像であることを特徴とする請求項５に記載のＸ線画像診断装置。
【請求項７】
前記全画像の一部を自動的に切り取って処理するオートトリミング画像を形成し、この形成したトリミング画像に前記モアレ低減手段を備えたことを特徴とする請求項１乃至３のいずれか一項に記載のＸ線画像診断装置。
【請求項８】
前記フィルタ処理手段の所定の重み付けは、０ではない正の値であることを特徴とする請求項１乃至７のいずれか一項に記載のＸ線画像診断装置。
【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
遊技球が流下する遊技領域と、
該遊技領域に設けられる入球口と、
該入球口に入球した遊技球を検出する検出手段と、
該検出手段による検出を契機として遊技者に有利な遊技状態を発生させるか否かを抽選する抽選手段と、
該抽選手段による抽選の結果に基づいて駆動手段を制御する駆動制御手段と、
該駆動制御手段の制御に基づいて動作する可動体とを備えた遊技機において、
前記可動体は、
所定の意匠面を外部から視認し得る位置に形成する複数の構成部材と、
該構成部材をそれぞれ離間させて支持する可撓性部材とを備え、
前記可動体の一部に前記駆動手段の動力が付与されて前記可撓性部材が撓むことに基づき、該可撓性部材が支持している前記構成部材の相対位置が変更されて前記可動体における前記意匠面の態様が変化するように構成されていることを特徴とする遊技機。
【請求項２】
請求項１記載の遊技機において、
前記可撓性部材が透光性素材によって形成されると共に、前記可動体の背後に発光手段が設けられており、
該発光手段の光が前記構成部材の間を介して前記可動体の前方に出力されることを特徴とする遊技機。
【請求項３】
請求項１乃至２の少なくともいずれかに記載の遊技機において、
前記可動体が、上端部を保持されるようにして吊下され、上端部以外の少なくとも一点に駆動手段により動力が付与されることにより変形するものであることを特徴とする遊技機。
【請求項４】
請求項３記載の遊技機において、
前記可撓性部材の一方側に前記構成部材の基端部がそれぞれ支持され、該構成部材の各先端部によって前記可動体の意匠面が形成されており、
前記可撓性部材の他方側においても、前記各部材に対応する部位にそれぞれ部材が支持されていることを特徴とする遊技機。
【請求項５】
請求項３乃至４の少なくともいずれかに記載の遊技機において、
前記可動体が、下端部の一点が回動自在に枢支され、下端部の他の一点に駆動手段により動力が付与されることにより変形するものであることを特徴とする遊技機。
【請求項６】
請求項１乃至５の少なくともいずれかに記載の遊技機において、
前記駆動制御手段は、前記抽選の結果に基づいて、所定態様で駆動している前記駆動手段の駆動態様を変化させることを特徴とする遊技機。
【手続補正書】
【提出日】平成21年11月18日(2009.11.18)
【手続補正１】
【補正対象書類名】明細書
【補正対象項目名】特許請求の範囲
【補正方法】変更
【補正の内容】
【特許請求の範囲】    【請求項１】  半導体パッケージを形成するリードフレームにワイヤーボンディングのために必要な金属めっきを施す製版めっき方法において、リードフレーム全体にフォトレジストのレジスト膜を形成した後、まず先に裏面のみを全面露光し、次いで表面のパターン露光を行ってから、現像、金属めっき、レジスト剥離を行う工程を含むことを特徴とするリードフレームの製版めっき方法。 【請求項２】  リードフレーム全体にフォトレジストのレジスト膜を形成した後、裏面を全面露光し、次いで表面のパターン露光を行ってから、現像、金属めっき、レジスト剥離を行う工程を含む製版めっき方法により、ワイヤーボンディングのために必要な金属めっきを施したリードフレームを得ることを特徴とするリードフレームの製造方法。 【請求項３】  リードフレーム全体にフォトレジストのレジスト膜を形成した後、裏面を全面露光し、次いで表面のパターン露光を行ってから、現像、金属めっき、レジスト剥離を行う工程を含む製版めっき方法により、ワイヤーボンディングのために必要な金属めっきを施し、次いで、このように加工したリードフレームに対して半導体素子をダイボンディングし、ワイヤーボンディングを行った後、樹脂による一括モールドを行い、この樹脂モールドの後、ダイシングにより個片化することにより半導体パッケージを得ることを特徴とする半導体パッケージの製造方法。 【請求項４】  得られる半導体パッケージがＱＦＮ型であることを特徴とする請求項３に記載の半導体パッケージの製造方法。
【手続補正書】
【提出日】平成22年10月5日(2010.10.5)
【手続補正１】
【補正対象書類名】特許請求の範囲
【補正対象項目名】請求項７
【補正方法】変更
【補正の内容】
【請求項７】
前記導光部の先端部は、導光した光が反射されて前記表示部に向うよう、４５°の傾きをもつ傾斜面で形成されている事を特徴とする請求項２および請求項４ないし請求項６のいずれかに記載の液体収納容器。
【手続補正２】
【補正対象書類名】特許請求の範囲
【補正対象項目名】請求項９
【補正方法】変更
【補正の内容】
【請求項９】
前記発光素子は基板に設けられており、前記基板は前記容器本体の底面の近傍において前記底面に対し傾斜して配置されていることを特徴とする請求項１に記載の液体収納容器。
【手続補正書】
【提出日】平成22年9月13日(2010.9.13)
【手続補正１】
【補正対象書類名】明細書
【補正対象項目名】００２９
【補正方法】変更
【補正の内容】
【００２９】
上記昇降フレーム１は、所定間隔をもって平行配置された一対の第１桁材１１，１１と、該各第１桁材１１，１１の両端側においてそれぞれ所定間隔をもって平行配置された一対の第２桁材１２，１２、同１２，１２を備え、全体として長矩形の平面形体を有している。尚、後述するように、上記リフター装置Ｚは通常のトラックを用いて移送できることを前提としており、このため、上記昇降フレーム１の短軸方向の寸法（即ち、幅寸法）は、該トラックへの積載が許容される寸法以内に設定される。
【手続補正２】
【補正対象書類名】明細書
【補正対象項目名】００５１
【補正方法】変更
【補正の内容】
【００５１】
ＩＩ：第２の実施形態
図９〜図１１には、本願発明の第２の実施形態に係るリフター装置Ｚを示している。このリフター装置Ｚは、上記第１の実施形態に係るリフター装置Ｚと基本構成を同じにするものであって、これと異なる点は、上記ジャッキ２の跳出構造である。以下、この相違点を中心に具体的な構造を説明し、それ以外の共通する構成部分については、第１の実施形態に係る図１〜図８に付した符号と同一符号を第２の実施形態に係る図９〜図１３に付して、該第１の実施形態における該当説明を援用することとし、ここでの説明は省略する。
【手続補正３】
【補正対象書類名】明細書
【補正対象項目名】００５３
【補正方法】変更
【補正の内容】
【００５３】
しかし、上記第１の実施形態では上記ジャッキ２を上記揺動アーム３の揺動によって「格納位置」と「跳出位置」の間で位置変更する構成としていたのに対して、この第２の実施形態では、上記昇降フレーム１の幅方向に向けて配置した伸縮筒６の伸縮動によって上記ジャッキ２の「格納位置」と「跳出位置」の間での位置変更を可能としており、このジャッキ２の跳出構造において両者は大きく相違するものである。
【手続補正４】
【補正対象書類名】明細書
【補正対象項目名】００６４
【補正方法】変更
【補正の内容】
【００６４】
次に、図１７（イ）、（ロ）に示すように、上記各ジャッキ２を全縮状態から伸長させて接地板２６を地面に接地させ、上記リフター装置Ｚを上記トラックＴ１の荷台から浮上させるとともに、さらに上記ジャッキ２を全伸させて上記昇降フレーム１側を最高位置まで上昇させる。また、上記各接地脚４はこれを上方へ引き上げて格納する。さらに、上記トラックＴ１を上記リフター装置Ｚの下側位置から退避させる。以上で、上記リフター装置Ｚの設置作業が完了する。
【手続補正５】
【補正対象書類名】図面
【補正対象項目名】図４
【補正方法】変更
【補正の内容】
【図４】
2007001689.tif 000001